(57)【特許請求の範囲】
【請求項１】
自動販売機の底部に下方および水平方向外方に突出するように取り付けられ、当該自動販売機を支持するとともに、当該自動販売機の支持面と前記底部との間に所定寸法以上の隙間を形成する複数の支持具を備え、
当該複数の支持具は、当該自動販売機を水平調整するとともに設置場所の基礎に固定するために当該自動販売機の前記底部の角部に上下方向に進退自在に螺合する複数の支持脚をそれぞれ介して、当該自動販売機に取り付けられており、
前記支持脚は、前記支持具が取り付けられた状態で、上側に退避し、前記支持具により当該自動販売機を支持可能な退避位置と、この退避位置よりも下側に突出し、当該支持脚により当該自動販売機を前記基礎に固定可能な突出位置との間で移動可能に構成されていることを特徴とする自動販売機の梱包装置。
【発明の詳細な説明】
【０００１】
【発明の属する技術分野】
本発明は、自動販売機を、その製造終了後から設置までの間に保管、移動や輸送に適した状態で梱包する自動販売機の梱包装置に関する。
【０００２】
【従来の技術】
図１９は、従来一般に用いられている自動販売機の梱包装置を示している。同図に示すように、この梱包装置５１は、自動販売機２を立てた状態で載せるパレット５３と、自動販売機２に上方からかぶせられ、その四方の外面および上面を覆うビニールなどから成るカバー袋５４と、その状態で自動販売機２の頭部にはめられた段ボールなどから成るキャップ５５と、カバー袋５４およびキャップ５５を固定するために、それらの上から縛り付けられたＰＰバンド（図示せず）などで構成されている。自動販売機２は、このように梱包された状態で、保管、輸送、およびフォークリフト（図示せず）による移動などが行われ、保管については、２段に積み上げた状態（以下「段積み」という）で行われる場合もある。
【０００３】
パレット５３は、組み立てた複数の木製の板材で構成され、フォークリフトによる移動・運搬に用いられるものであり、概ね次のような機能を有している。すなわち、▲１▼フォークリフトのフォークを挿入可能なスペースＣ（例えば高さ６０ｍｍ以上）を確保する、▲２▼フォークが自動販売機２の底面に直接、当たらないようにすることで、その損傷・変形などを防止する、▲３▼自動販売機２の重量およびフォークからの荷重を支持する、▲４▼自動販売機２の平面的な外形寸法よりも若干大とすることで、これらを並べたときに自動販売機２、２相互間に隙間を確保し、それらの接触による損傷などを防止する、などの機能である。
【０００４】
また、カバー袋５４は、自動販売機１をほこりや湿気などから保護するとともに、ＰＰバンドの締め付けによる損傷などを防止する役割を果たす。さらに、キャップ５５は、段積みする際、その衝撃を和らげるクッションとなるとともに段積み荷重を分散させることで、自動販売機１の特に天面の損傷などを防止する他、カバー袋５４と同様、ＰＰバンドによる損傷を防止し、また、パレット５３と同様、自動販売機２相互間に隙間を確保するなどの機能を有している。
【０００５】
【発明が解決しようとする課題】
しかし、上記の梱包装置５１では、パレット５３、カバー袋５４、キャップ５５およびＰＰバンドはすべて、使い捨て状態になっており、自動販売機２の設置後に廃棄されているのが現状である。このことは、最近の資源の再生あるいは再利用の要請に反するものであり、梱包装置５１においても改善を施すことが望ましい。特に、パレッレ５３については、木材を多量に使用するため、これを廃止することが好ましい。
【０００６】
本発明は、このような課題を解決するためになされたものであり、梱包装置に要求される機能を維持しながら、梱包材の使用量および廃棄量を可能な限り削減することで、省資源化を促進することができる自動販売機の梱包装置を提供することを目的とする。
【０００７】
【課題を解決するための手段】
この目的を達成するため、本発明の自動販売機の梱包装置は、自動販売機の底部に下方および水平方向外方に突出するように取り付けられ、自動販売機を支持するとともに、自動販売機の支持面と底部との間に所定寸法以上の隙間を形成する複数の支持具を備え、複数の支持具は、自動販売機を水平調整するとともに設置場所の基礎に固定するために自動販売機の底部の角部に上下方向に進退自在に螺合する複数の支持脚をそれぞれ介して、自動販売機に取り付けられており、支持脚は、支持具が取り付けられた状態で、上側に退避し、支持具により自動販売機を支持可能な退避位置と、この退避位置よりも下側に突出し、支持脚により自動販売機を基礎に固定可能な突出位置との間で移動可能に構成されていることを特徴としている。
【０００８】
この自動販売機の梱包装置によれば、底部に取り付けた複数の支持具によって、自動販売機の重量を支持することができる。また、これらの支持具により、自動販売機の支持面と底部との間に所定寸法以上の隙間が形成されるので、この隙間の所定寸法をフォークリフトのフォークが挿入可能な寸法に設定することによって、この状態で、自動販売機をフォークリフトで移動させることができる。さらに、支持具は、自動販売機から水平方向外方に突出していることで、複数の自動販売機を並べた場合にそれらの相互間に隙間を確保するスペーサとしての役割を果たすので、自動販売機同士の接触、およびそれに起因する損傷などを防止できる。このように、本発明の支持具は、従来のパレットに要求される前述した機能を有しているので、その機能を維持しながら、パレットの代替材として用いることができる。
【００１０】
また、上記のような支持脚は、自動販売機を水平調整するとともに設置場所の基礎に固定するために、自動販売機に通常、設けられているものである。したがって、本発明によれば、支持具を、そのような既設の支持脚を利用し、格別の取付用の部品を用いることなく、取り付けることができる。また、支持具は、自動販売機の角部にのみ設けるだけでよいので、パレットと比較し、材料の使用量を大幅に削減でき、それにより、省資源化を図れるとともに、材料コストを削減できる。さらに、支持具が取り付けられた状態で、支持脚を突出位置に位置させることで、この支持脚により自動販売機を設置場所の基礎に固定できる。すなわち、設置場所での自動販売機の固定・設置を、支持具を残したままで行うことができ、したがって、支持具の廃棄が不要になり、省資源化をより一層、促進することができる。また、自動販売機を他の場所に移設する必要が生じた場合には、支持脚を退避位置に戻すだけでよく、これを容易に行うことができる。
【００１１】
【発明の実施の形態】
以下、図面を参照しながら、本発明の好ましい実施形態を詳細に説明する。図１〜図５は、本発明の第１実施形態による自動販売機の梱包装置１を示している。この梱包装置１は、前述した従来のパレット５３を廃止し、これに代えて自動販売機２の底部の四隅に支持具３を設けたものであり（図１に前側の２個のみ図示）、従来のカバー袋５４、キャップ５５およびＰＰバンドは、図示しないが、同様に用いられている。なお、これらの支持具３は、構成が互いに同一で、自動販売機２の各隅に向きを変えて取り付けられるものであるので、以下では、自動販売機２の向かって右前に設けられる支持具３を代表して説明するものとする。
【００１２】
この支持具３は、硬質で強度の大きなプラスチック、例えばポリプロピレンなどの成形品で構成されており、図２および図３に示すように、平面矩形の本体部４と、本体部４の前辺および右辺に沿って延び、上方に突出するＬ形の上突起部５と、本体部４の上突起部５と反対側の位置から下方に突出し、下広がりに斜めに所定の角度および長さで延びるＬ形の下突起部６で構成されている。本体部４の中央には、ボルト挿通孔７と、その下側に連続する、より大きな径のボルト頭部収容孔８が、上下方向に貫通するように形成されている。
【００１３】
支持具３は、支持脚９を介して、自動販売機２に固定されている。この支持脚９は、自動販売機２を設置場所の基礎Ｂに固定するとともに、その水平調整を行うために、自動販売機２に一般的に設けられているものである。周知のように、この支持脚９は、ねじ部９ａと、これよりも幅広の六角頭部９ｂと、さらにこれよりも幅広のさら部９ｃとを有するさら付き六角ボルトで構成されている。ねじ部９ａは、折曲げ加工した鋼板などで構成された自動販売機２のベース部１０（底部）に設けた雌ねじ付きのスリーブ１１に、上下方向に進退自在に螺合している。そして、支持具３は、その本体部４に自動販売機２のベース部１０の角部を載せた状態で、ボルト挿通孔７に挿通した支持脚９のねじ部９ａをスリーブ１１にねじ込むことによって、自動販売機２に取り付けられている。
【００１４】
図３は、自動販売機２の設置前、すなわち移動、保管や輸送を行う場合の支持具３の取付状況を示している。すなわち、この場合には、支持脚９をスリーブ１１に対して強固に締め付けることによって、支持具３は、ベース部１０と支持脚９の六角頭部９ｂとの間に挟持されるとともに、上突起部５がベース部１０に当接することにより回転を阻止された状態で、自動販売機２に強固に固定される。したがって、自動販売機２の重量を支持具３によって、しっかりと支持することができる。また、この状態では、支持具３の下突起部６により、自動販売機２のベース部１０と床面（図示せず）との間に所定寸法（例えば６０ｍｍ）以上の隙間が確保されるので、この隙間にフォークリフトのフォークを挿入することによって、自動販売機２を移動させることができる。さらに、上突起部５から下突起部６に至る部分が、自動販売機２の外方に突出し、複数の自動販売機２を並べて保管する場合に自動販売機２、２間に隙間を確保するスペーサとしての役割を果たすので、自動販売機２、２同士の接触、およびそれに起因する損傷などを防止することができる。
【００１５】
さらに、この状態では、支持脚９の六角頭部６ｂおよびさら部６ｃが支持具３のボルト頭部収容孔８内に完全に収容されるので、図４に示すように、六角頭部６ｂなどが邪魔になることなく、支持具３を介して、自動販売機２を段積みでき、それによって、自動販売機２の天面の損傷を防止できる。以上のように、支持具３は、従来のパレット５３に要求される前述した機能をすべて有しており、パレット５３の機能を維持しながら、その代替材として用いることができる。また、支持具３は、自動販売機２の四隅に設けるだけでよいので、パレット５３と比較し、材料の使用量を大幅に削減できることで、省資源化を図れるとともに、材料コストを低減することができる。また、支持具３は、既設の支持脚９を利用して自動販売機２に取り付けられるので、これを取り付けるための格別の部品も不要である。
【００１６】
また、下突起部６が下広がりに傾いていることで、図４に示すように、上側の支持具３の下突起部６が下側の自動販売機２の上端部に嵌合した状態で、自動販売機２を段積みできる。したがって、上下の自動販売機２、２相互の位置ずれを防止しながら、段積みを安定して行うことができる。
【００１７】
図５は、自動販売機２の設置後の状況を示している。すなわち、この場合には、支持具３を取り付けたままで、通常と同様、各支持脚９を伸ばして自動販売機２の水平を調整するとともに、固定金具１２およびアンカーボルト１３を用いて、自動販売機２が固定される。具体的には、固定金具１２の支持脚固定孔１２ａに支持脚９の六角頭部９ｂを挿入するとともに、固定金具１２の挿入孔１２ｂを介して基礎Ｂの設置孔ＢＡに挿入したアンカーボルト１３を締め付けることにより、固定金具１２と基礎Ｂの間に支持脚９のさら部９ｃを挟持することで、自動販売機２が基礎Ｂに固定・設置される。以上のように、自動販売機２の固定・設置を、支持具３を残したままで行うことができ、それにより、支持具３の廃棄が不要になるとともに、自動販売機２を他の場所に移設する必要が生じた場合には、支持具３を再び図３の状態に戻すことで、これを容易に行うことができる。
【００１８】
図６〜図９は、本発明の第２実施形態を示している。この実施形態では、支持具２３の本体部４の上面が平坦で、第１実施形態の上突起部５が省略されているとともに、ボルト挿入孔７およびボルト頭部収容孔８は、本体部４の１つの角部４ａに近い位置に偏心して配置されている。また、本体部４の角部４ａと反対側の部分には、上下方向に貫通する２つのアンカーボルト挿通孔２４ａ、２４ｂが、角部４ａを中心として互いに対称に形成されており、また、下突起部６は、角部４ａの対角側の角部４ｂ付近にのみ部分的に形成されている。他の構成は、第１実施形態の支持具３と同じである。
【００１９】
以上の構成によれば、支持具２３の上面が平坦であることにより、支持具２３は、支持脚９を緩めた状態で、支持脚９を中心として回転することが可能である。支持具２３は、図６および図７に示すように、自動販売機２の設置前においては、下突起部６を設けた角部４ｂ側が自動販売機２の外方に最大限、突出するような角度で、支持脚９を締め付けることによって、自動販売機２に強固に固定される。したがって、下突起部６、６間の距離が最も大きな安定した状態で、自動販売機２の重量を支持具２３によって、しっかりと支持することができる。また、第１実施形態の支持具３と同様、下突起部６によって、自動販売機２のベース部１０と床面との間に、フォークリフトのフォークを挿入するための隙間を確保できるとともに、本体部４の一部が自動販売機２の外方に突出することによって、複数の自動販売機２を並べた場合の相互の接触を防止するための隙間を確保できる。したがって、第１実施形態の支持具３と同様、支持具２３を、従来のパレット５３の代替材として用いることができる。
【００２０】
また、支持具２３は、自動販売機２を固定する場合には、図８および図９に示すように、上記の状態から１８０度、回転される。この状態では、支持具２３は、自動販売機２の下側に完全に退避し、外部からまったく見えなくなるので、それにより、自動販売機２の外観を向上させることができる。また、この状態では、アンカーボルト挿通孔２４ａが、ベース部１０に形成したアンカーボルト挿通孔１０ａの真下に位置するようになるので、これらのアンカーボルト挿通孔１０ａ、２４ａを介して、アンカーボルト１３を挿入することができる。さらに、下突起部６が角部４ｂの付近にのみ設けられていて、他の部分と基礎Ｂの間には隙間が確保されているので、固定金具１２をこの隙間を介して、下突起部６と干渉することなく配置できる。その結果、第１実施形態の支持具３と同様、支持具２３を取り付けたまま、自動販売機２を固定・設置でき、それによる前述した利点を得ることができる。
【００２１】
なお、支持具２３に２つアンカーボルト挿通孔２４ａ、２４ｂが設けられているのは、支持具２３間における部品の共通化のためである。すなわち、自動販売機２の右前に取り付けられる支持具２３の場合には、上述したように、アンカーボルト挿通孔２４ａが用いられる一方、例えば左前の支持具２３の場合には、逆にアンカーボルト挿通孔２４ｂが用いられることになる。
【００２２】
図１０〜図１２は、本発明の第３実施形態を示している。この実施形態では、支持具３３は、下面が開放した逆椀形の形状を有するとともに、その上部に形成した孔３４に、雌ねじ付きのスリーブ３５が取り付けられていて、このスリーブ３５に支持脚９のねじ部９ａが螺合している。また、支持具３３の深さは、支持脚９の六角頭部６ｂとさら部６ｃの寸法の和よりも大きく設定されており、それにより、支持具３３内に支持脚９の六角頭部６ｂおよびさら部６ｃを収容できるとともに、支持具３３を回すことにより、支持具３３が支持脚９に対して所定ストロークＢだけ、上下方向に進退できるようになっている。さらに、支持具３３の下縁には、ゴムなどの軟らかい材質から成るバッド３６が取り付けられている。
【００２３】
以上の構成の支持具３３は、自動販売機２の設置前においては、図１０に示すように、支持脚９をベース部１０に対して最大限下げるとともに、支持具３３を支持脚９に対して最大限下げた状態で、使用される。これにより、自動販売機２のベース部１０と床面との間の隙間の寸法が、支持脚９の最大ストロークＡと、支持具３３の最大ストロークＢとの和（＝Ａ＋Ｂ）となる。このように、本実施形態では、支持具３３を、雌ねじ付きのスリーブ３５を介して支持脚９に上下方向に進退自在とすることによって、２段階で伸縮でき、第１および第２実施形態の支持具３、２３よりも床面との間の隙間を大きく確保でき、フォークリフトのフォークを余裕をもって挿入することができる。
【００２４】
また、図１１に示すように、段積みした場合には、支持具３３の下縁に取り付けたパッド３６を介して、上側の自動販売機２が下側の自動販売機２に載るので、下側の自動販売機２の天面の損傷などを防止することができる。以上により、この支持具３３もまた、パレット５３の代替材として使用することができる。
【００２５】
一方、自動販売機２を設置する場合には、支持具３３は、図１２に示すように、ベース部１０に当接する上限位置に位置させた状態で使用される。これにより、支持脚９の六角頭部９ｂおよびさら部９ｃが、支持具３３から下方に突出した状態になることで、図示しないが、第１および第２実施形態と同様、支持具３３を取り付けたまま、固定金具１２およびアンカーボルト１３を用いて、自動販売機２を固定・設置することができる。
【００２６】
前述した３つの実施形態では、パレット５３の廃止によって、フォークリフトのフォークがベース部１０の下側の隙間に挿入され、ベース部１０を直接、持ち上げることになるので、ベース部１０が図１５に示すような通常の構成であると、フォークの接触により、ベース部１０の下面が前後方向の大きな範囲にわたって損傷するおそれがある。図１３および図１４は、そのような損傷を最小限に抑制するためのベース部１０の構成を示している。
【００２７】
すなわち、図１３に示すベース部１０は、その底壁を構成する鋼板の前部に、プレス加工によって、下方に突出する凸部１０ｂを形成したものである。これにより、挿入したフォークは、この凸部１０ｂと後方の１個所でのみ、ベース部１０に点接触するので、それによるベース部１０の損傷を最小限に抑制することができる。なお、この凸部１０ｂは、ベース部１０の左右方向に連続して形成してもよく、あるいはフォークが挿入される部位付近にのみ断続的に形成してもよい。
【００２８】
図１４に示すベース部１０は、その上壁を構成する鋼板の下側に延びる前端部に、曲げ加工によって、下方に突出する凸部１０ｃを左右方向に連続して形成したものである。したがって、このベース部１０によっても、図１３の例と同様、フォークの挿入によるベース部１０の損傷を最小限に抑制することができる。なお、凸部の形成を、以上のような鋼板のプレス加工や曲げ加工によらず、別個の部材を鋼板に取り付けることによって、行うようにしてもよい。
【００２９】
図１６〜図１８は、自動販売機２の上端および下端に損傷防止用の複数のモール４１を取り付けた例を示している。図１６に示すモール４１は、ゴムや弾性樹脂により断面Ｌ形に形成されており、自動販売機２の幅および奥行に相当する長さを有し、自動販売機２の上端および下端の各辺にその全体にわたって取り付けられる。各モール４１には位置決め用の２つの突起４１ａが、自動販売機２の対応する個所には突起４１ａが係合する位置決め用の孔４１ｂが、それぞれ形成されている。そして、上側のモール４１は、自動販売機２の天壁と隣接する他の壁とにまたがるようにして、下側のモール４１は底壁と他の壁とにまたがるようにして、自動販売機２に接着などで取り付けられている。
【００３０】
以上の構成によれば、モール４１は、その弾性によりクッションとしての役割を果たすとともに、その厚さの分、自動販売機２から外方に若干突出していることで、自動販売機２を並べた場合のスペーサとして機能する。したがって、例えば、自動販売機２の輸送中における相互の接触による損傷や、ＰＰバンドの締付けによる損傷を防止することができる。また、上側のモール４１の天壁側の部分の寸法を大きくすることで、モール４１を介して段積みすることも可能であり、それにより、段積み時の天面の損傷も防止できる。
【００３１】
以上のように、上側のモール４１は、従来のキャップ５５に要求される機能を有しているので、キャップ５５を廃止し、その代替材として使用することも可能である。この場合、モール４１は、自動販売機２の設置後も取り付けておけるので、その廃棄が不要になるという利点がある。さらに、図１８に示すように、上側のモール４１を、その一部が自動販売機２の外側で上方に突出するように形成することによって、この突出部を段積み時のストッパとして用いることもでき、それにより、上側の自動販売機２の位置ずれなどを防止でき、段積みを安定して行うことができる。
【００３２】
図１７は、モール４１をＬ形とし、自動販売機２の角部にのみ取り付け例である。この構成によっても、自動販売機２の輸送時や並設時における損傷を防止できるとともに、材料の使用量を削減できるという利点が得られる。
【００３３】
【発明の効果】
以上のように、本発明の自動販売機の梱包装置は、梱包装置に要求される機能を維持しながら、梱包材の使用量および廃棄量を可能な限り削減することで、省資源化を促進することができるなどの効果を有する。
【図面の簡単な説明】
【図１】本発明の第１実施形態による梱包装置を適用した自動販売機の正面図である。
【図２】図１の梱包装置の支持具の取付状況を示す平面図である。
【図３】図２に対応する断面図である。
【図４】図２の支持具を用いて段積みした自動販売機の正面図、およびその矢印部の部分拡大正面図である。
【図５】自動販売機を固定した状態を示す断面図である。
【図６】第２実施形態による支持具の取付状況を示す断面図である。
【図７】図６に対応する斜視図である。
【図８】自動販売機を固定した状態を示す断面図である。
【図９】図８に対応する斜視図である。
【図１０】第３実施形態による支持具の取付状況を示す断面図である。
【図１１】図１０の支持具を用いて段積みしたときの段積み部の拡大正面図である。
【図１２】自動販売機を固定した状態を示す、一部省略した断面図である。
【図１３】フォークリフトによる損傷を抑制するためのベース部の構成を示す部分側面図である。
【図１４】図１３と異なるベース部の構成を示す部分側面図である。
【図１５】図１３および図１４と対比するための通常のベース部の構成を示す部分側面図である。
【図１６】自動販売機に損傷防止用のモールを取り付けた例を示す斜視図である。
【図１７】自動販売機に図１６と異なるモールを取り付けた例を示す斜視図である。
【図１８】図１６の変形例によるモールを取り付け、段積みしたときの段積み部の拡大正面図である。
【図１９】従来の一般的な自動販売機の梱包装置を示す斜視図である。
【符号の説明】
１  梱包装置
２  自動販売機
３  支持具
５  上突起部
６  下突起部
９  支持脚
１０  ベース部（底部）
２３  支持具
３３  支持具
【図１】
0003963063.tif 000002
【図２】
0003963063.tif 000003
【図３】
0003963063.tif 000004
【図４】
0003963063.tif 000005
【図５】
0003963063.tif 000006
【図６】
0003963063.tif 000007
【図７】
0003963063.tif 000008
【図８】
0003963063.tif 000009
【図９】
0003963063.tif 000010
【図１０】
0003963063.tif 000011
【図１１】
0003963063.tif 000012
【図１２】
0003963063.tif 000013
【図１３】
0003963063.tif 000014
【図１４】
0003963063.tif 000015
【図１５】
0003963063.tif 000016
【図１６】
0003963063.tif 000017
【図１７】
0003963063.tif 000018
【図１８】
0003963063.tif 000019
【図１９】
0003963063.tif 000020